(57)【特許請求の範囲】
【請求項１】
情報を提示するための方法であって、
再生されるべきビデオにおける少なくとも１つの事前に設定された情報提示時間点と、前記情報提示時間点でのビデオのコンテンツに関連する予め記憶された提示情報セットとを取得するステップであって、前記情報提示時間点は提示情報が前記ビデオに表示されるところの時点であり、前記提示情報セットは、１対１で前記情報提示時間点と対応する、取得するステップと、
前記情報提示時間点に対応する提示されるべき情報を取得するために、前記提示されるべき情報を、履歴閲覧情報に基づいて前記情報提示時間点に対応する前記提示情報セットから選択する、ステップと、
前記情報提示時間点に対応する前記提示されるべき情報を、端末に送信するステップと、を含み、
前記情報提示時間点に対応する前記提示されるべき情報を取得するために、前記提示されるべき情報を、履歴閲覧情報に基づいて前記情報提示時間点に対応する前記提示情報セットから選択するステップは、
前記端末の履歴閲覧情報および現在のログインアカウントのアカウント属性情報および現在のログインアカウントに関連しているアカウントのアカウント属性情報に基づいて、前記情報提示時間点に対応する前記提示されるべき情報として、前記情報提示時間点に対応する前記提示情報セットから、前記履歴閲覧情報および前記アカウント属性情報とプリセット一致条件を満たす提示情報を選択するステップを含み、前記アカウント属性情報は、アカウントの性別、年齢、教育、地域についての情報を含む
ことを特徴とする方法。
【請求項２】
前記情報提示時間点に対応する前記提示されるべき情報を取得するステップの後に、前記方法は、
前記ビデオのための提示情報と前記ビデオにおける関連する位置との間の予め記憶された対応に従って、前記ビデオにおける前記情報提示時間点に対応する前記提示されるべき情報に対応する関連する位置を決定するステップをさらに含み、ここで、
前記情報提示時間点に対応する前記提示されるべき情報を、前記端末に送信するステップは、
前記情報提示時間点に対応する前記提示されるべき情報と、前記提示されるべき情報に対応する前記関連する位置とを、前記端末に送信するステップを含む、請求項１に記載の方法。
【請求項３】
前記情報提示時間点に対応する前記提示されるべき情報を取得するために、前記提示されるべき情報を、前記履歴閲覧情報に基づいて前記情報提示時間点に対応する前記提示情報セットから選択するステップは、
前記履歴閲覧情報に基づいて各提示情報タイプの閲覧回数を決定するステップと、
前記情報提示時間点に対応する前記提示されるべき情報として、前記情報提示時間点に対応する前記提示情報セットから、最も多い閲覧回数を有する前記提示情報タイプを備えた提示情報を選択するステップと、を含む、請求項１または２に記載の方法。
【請求項４】
前記情報提示時間点に対応する前記提示されるべき情報として、前記情報提示時間点に対応する前記提示情報セットから、最も多い閲覧回数を有する前記提示情報タイプを備えた前記提示情報を選択するステップが、
前記提示情報のプリセット目標提示回数と各提示情報の残りの提示回数とを取得するステップと、
前記提示情報の前記プリセット目標提示回数に対する前記残りの提示回数の割合に基づいて、前記ビデオのための各提示情報の優先度を決定するステップと、
前記情報提示時間点に対応する前記提示されるべき情報として、前記情報提示時間点に対応する前記提示情報セットから、最も多い閲覧回数を有する前記提示情報タイプを備えた最も高い優先度を有する提示情報を選択するステップと、を含む、請求項３に記載の方法。
【請求項５】
再生されるべきビデオにおける少なくとも１つの事前に設定された情報提示時間点と、前記情報提示時間点でのビデオのコンテンツに関連する予め記憶された提示情報セットとを取得するように構成された、取得モジュールであって、前記情報提示時間点は提示情報が前記ビデオに表示されるところの時点であり、前記提示情報セットは、１対１で前記情報提示時間点と対応する、取得モジュールと、
前記情報提示時間点に対応する提示されるべき情報を取得するために、前記提示されるべき情報を、履歴閲覧情報に基づいて前記情報提示時間点に対応する前記提示情報セットから選択するように構成された、選択モジュールと、
前記情報提示時間点に対応する前記提示されるべき情報を、端末に送信するように構成された、送信モジュールと、を含み、
前記選択モジュールは、
前記端末の履歴閲覧情報および現在のログインアカウントのアカウント属性情報および現在のログインアカウントに関連しているアカウントのアカウント属性情報に基づいて、前記情報提示時間点に対応する前記提示されるべき情報として、前記情報提示時間点に対応する前記提示情報セットから、前記履歴閲覧情報および前記アカウント属性情報とプリセット一致条件を満たす提示情報を選択するように構成され、前記アカウント属性情報は、アカウントの性別、年齢、教育、地域についての情報を含む
ことを特徴とするサーバ。
【請求項６】
前記取得モジュールが、前記ビデオのための提示情報と前記ビデオにおける関連する位置との間の予め記憶された対応に従って、前記ビデオにおける前記情報提示時間点に対応する前記提示されるべき情報に対応する関連する位置を決定するようにさらに構成され、
前記送信モジュールが、前記情報提示時間点に対応する前記提示されるべき情報と、前記提示されるべき情報に対応する前記関連する位置とを、前記端末に送信するように構成される、請求項５に記載のサーバ。
【請求項７】
前記選択モジュールが、
前記履歴閲覧情報に基づいて各提示情報タイプの閲覧回数を決定するように構成された、決定サブモジュールと、
前記情報提示時間点に対応する前記提示されるべき情報として、前記情報提示時間点に対応する前記提示情報セットから、最も多い閲覧回数を有する前記提示情報タイプを備えた提示情報を選択するように構成された、選択サブモジュールと、を含む、請求項５または６に記載のサーバ。
【請求項８】
前記選択サブモジュールが、
前記提示情報のプリセット目標提示回数と各提示情報の残りの提示回数とを取得するように構成された、取得ユニットと、
前記提示情報の前記プリセット目標提示回数に対する前記残りの提示回数の割合に基づいて、前記ビデオのための各提示情報の優先度を決定するように構成された、決定ユニットと、
前記情報提示時間点に対応する前記提示されるべき情報として、前記情報提示時間点に対応する前記提示情報セットから、最も多い閲覧回数を有する前記提示情報タイプを備えた最も高い優先度を有する提示情報を選択するように構成された、選択ユニットと、を含む、請求項７に記載のサーバ。
【請求項９】
サーバおよび端末を含む、情報を提示するためのシステムであって、
前記端末が、前記端末上で再生されるべきビデオを前記サーバに通知するように構成され、
前記サーバが、再生されるべきビデオにおける少なくとも１つの事前に設定された情報提示時間点と、前記情報提示時間点でのビデオのコンテンツに関連する予め記憶された提示情報セットとを取得し、前記情報提示時間点に対応する前記提示されるべき情報を取得するために、前記提示されるべき情報を履歴閲覧情報に基づいて前記情報提示時間点に対応する前記提示情報セットから選択し、並びに前記情報提示時間点に対応する前記提示されるべき情報を前記端末に送信するように構成され、ここで前記情報提示時間点は提示情報が前記ビデオに表示されるところの時点であり、前記提示情報セットは、１対１で前記情報提示時間点と対応し、
前記サーバは、
前記情報提示時間点に対応する前記提示されるべき情報を取得するために、前記提示されるべき情報を、履歴閲覧情報に基づいて前記情報提示時間点に対応する前記提示情報セットから選択するように構成され、
前記端末の履歴閲覧情報および現在のログインアカウントのアカウント属性情報および現在のログインアカウントに関連しているアカウントのアカウント属性情報に基づいて、前記情報提示時間点に対応する前記提示されるべき情報として、前記情報提示時間点に対応する前記提示情報セットから、前記履歴閲覧情報および前記アカウント属性情報とプリセット一致条件を満たす提示情報を選択するように構成され、ここで前記アカウント属性情報は、アカウントの性別、年齢、教育、地域についての情報を含み、
前記端末が、前記サーバから送信された再生されるべき前記ビデオにおける前記事前に設定された情報提示時間点に対応する、前記提示されるべき情報を受信し、前記ビデオを再生し、並びに前記提示されるべき情報に対応する前記事前に設定された情報提示時間点で前記提示されるべき情報を表示するようにさらに構成された、
ことを特徴とするシステム。
【発明の詳細な説明】
【技術分野】
【０００１】
本出願は、２０１５年１１月２０日に中国国家知識産権局に提出された「METHOD, APPARATUS AND SYSTEM FOR PRESENTING INFORMATION」と題された中国特許出願第201510810184.2号の優先権を主張し、その全体が参照により本明細書に組み込まれる。
【０００２】
本開示は、コンピュータ技術の分野に関し、特に情報を提示するための方法、デバイス、およびシステムに関する。
【背景技術】
【０００３】
コンピュータ技術とネットワーク技術の発達により、ネットワークビデオ事業が広く普及し、ネットワークビデオのコンテンツがますます豊富になり、その結果、ネットワークビデオの豊富なコンテンツによってユーザの注目が集められている。ユーザが端末を使用することによってネットワークビデオを見る時、ネットワークビデオ事業のサーバは、ニュース情報、広告情報などの提示情報を端末にプッシュすることができる。
【０００４】
従来、技術者によって、ネットワークビデオを再生する前に、一定時間の提示情報が大抵設定された。つまり、ユーザがビデオウェブサイトにアクセスしてビデオを見るために端末を使用する時、ユーザは、ビデオが再生される前にある一定時間の提示情報を見る。次いで、ユーザは、提示情報を含むページをクリックすることによって、提示情報の詳細なコンテンツを含むページにアクセスすることができる。
【０００５】
しかしながら、一般に、ネットワークビデオ事業のサーバによって異なるビデオを再生する異なる端末にプッシュされた提示情報は、ある時間の間同じであり、従って全てのユーザに表示される提示情報は、この時間の間同じである。多くのユーザにとって、提示情報はユーザの実際の要求を満たさない可能性があり、その結果、提示情報の有効性が低くなる。
【発明の概要】
【０００６】
この従来技術における問題を解決するために、本発明の実施形態に従って、情報を提供するための方法、デバイス、およびシステムが提供される。提供される技術的解決策は、以下に説明される。
【０００７】
第１の態様において、情報を提示するための方法が提供される。概方法は、
再生されるべきビデオにおける少なくとも１つのプリセット情報提示時間点と、情報提示時間点でのビデオコンテンツに関連する予め記憶された提示情報セットとを取得するステップであって、提示情報セットは、１対１で情報提示時間点と対応する、取得するステップと、
情報提示時間点に対応する提示されるべき情報を取得するために、提示されるべき情報を、履歴閲覧情報に基づいて情報提示時間点に対応する提示情報セットから選択する、ステップと、
情報提示時間点に対応する提示されるべき情報を、端末に送信するステップと、を含む。
【０００８】
第２の態様において、情報を提示するための方法が提供される。概方法は、
端末上で再生されるべきビデオをサーバに通知するステップと、
サーバから送信された再生されるべきビデオにおけるプリセット情報提示時間点に対応する、提示されるべき情報を受信するステップと、
ビデオを再生し、および提示されるべき情報に対応するプリセット情報提示時間点で提示されるべき情報を表示するステップと、を含む。
【０００９】
第３の態様において、サーバが提供される。該サーバは、
再生されるべきビデオにおける少なくとも１つのプリセット情報提示時間点と、情報提示時間点でのビデオコンテンツに関連する予め記憶された提示情報セットとを取得するように構成された、取得モジュールであって、提示情報セットは、１対１で情報提示時間点と対応する、取得モジュールと、
情報提示時間点に対応する提示されるべき情報を取得するために、提示されるべき情報を、履歴閲覧情報に基づいて情報提示時間点に対応する提示情報セットから選択するように構成された、選択モジュールと、
情報提示時間点に対応する提示されるべき情報を、端末に送信するように構成された、送信モジュールと、を含む。
【００１０】
第４の態様において、端末が提供される。該端末は、
端末上で再生されるべきビデオをサーバに通知するように構成された、通知モジュールと、
サーバから送信された、現在端末上で再生されているビデオにおけるプリセット情報提示時間点に対応する、提示されるべき情報を受信するように構成された、受信モジュールと、
ビデオを再生し、および提示されるべき情報に対応する情報提示時間点で提示されるべき情報を表示するように構成された、提示モジュールと、を含む。
【００１１】
第５の態様において、情報を提示するためのシステムが提供される。該システムは、サーバと端末を含み、
端末が、端末上で再生されるべきビデオをサーバに通知するように構成され、
サーバが、再生されるべきビデオにおける少なくとも１つのプリセット情報提示時間点と、情報提示時間点でのビデオコンテンツに関連する予め記憶された提示情報セットとを取得し、情報提示時間点に対応する提示されるべき情報を取得するために、提示されるべき情報を履歴閲覧情報に基づいて情報提示時間点に対応する提示情報セットから選択し、並びに情報提示時間点に対応する提示されるべき情報を端末に送信するように構成され、ここで提示情報セットは、１対１で情報提示時間点と対応し、
端末が、サーバから送信された再生されるべきビデオにおけるプリセット情報提示時間点に対応する、提示されるべき情報を受信し、ビデオを再生し、並びに提示されるべき情報に対応するプリセット情報提示時間点で提示されるべき情報を表示するようにさらに構成される。
【００１２】
本開示の実施形態において提供される技術的解決策の有益な効果は、以下に記載される。
【００１３】
本開示の実施形態では、再生されるべきビデオにおけるプリセット情報提示時間点と、情報提示時間点でのビデオコンテンツに関連付けられた予め記憶された提示情報セットとが取得され、情報提示時間点に対応する提示されるべき情報を取得するために、提示されるべき情報が、履歴閲覧情報に基づいて情報提示時間点に対応する提示情報セットから選択され、および情報提示時間点に対応する提示されるべき情報が端末に送信され、端末がビデオを再生する時、端末は、提示されるべき情報に対応する情報提示時間点で、提示されるべき情報を表示する。このように、ビデオが端末上で再生される時、ユーザに提示される提示情報は履歴閲覧情報に基づいて選択され、それによって提示情報の有効性が改善される。
【図面の簡単な説明】
【００１４】
本開示の実施形態に従った技術的解決策がより明確になるように、実施形態の説明において使用される添付図面をいかに簡単に説明する。以下の説明における添付図面は、本発明のいくつかの実施形態のみを示していることは明らかである。当業者は、これらの添付図面に基づいて創造的な労力なしに別の図面を得ることができる。
【図１】本開示の一実施形態に従った、情報を提示するための方法の流れ図である。
【図２】本開示の一実施形態に従った、情報を提示するための方法の流れ図である。
【図３】本開示の一実施形態に従った、情報を提示するための方法の流れ図である。
【図４】本開示の一実施形態に従った、情報を提示するための方法の流れ図である。
【図５】本開示の一実施形態に従った、情報を提示するためのインタフェースの概略図である。
【図６】本開示の一実施形態に従った、情報を提示するためのインタフェースの概略図である。
【図７】本開示の一実施形態に従った、情報を提示するためのデバイスの概略的な構造図である。
【図８】本開示の一実施形態に従った、情報を提示するためのデバイスの概略的な構造図である。
【図９】本開示の一実施形態に従った、情報を提示するためのデバイスの概略的な構造図である。
【図１０】本開示の一実施形態に従った、情報を提示するためのデバイスの概略的な構造図である。
【図１１】本開示の一実施形態に従った、サーバの概略的な構造図である。
【図１２】本開示の一実施形態に従った、端末の概略的な構造図である。
【発明を実施するための形態】
【００１５】
本開示の目的、技術的解決策、および利点をより明確に説明するために、本開示の実施形態を図面と併せて以下にさらに詳細に説明する。
【００１６】
第1の実施形態
【００１７】
情報を提示するための方法が、本開示の本実施形態において提供される。方法は、サーバと端末によって一緒に実装されてもよい。サーバは、ネットワークビデオを再生する過程において、端末に提示情報をプッシュするためのサーバであってもよく、端末は、ユーザによって使用されるビデオ再生能力を有する端末であってもよい。
【００１８】
図１に示すように、この方法におけるサーバの処理フローは、以下のステップ１０１乃至１０３を含んでもよい。
【００１９】
ステップ１０１において、再生されるべきビデオにおける少なくとも１つのプリセット情報提示時間点と、情報提示時間点でのビデオコンテンツに関連する予め記憶された提示情報セットが取得される。提示情報セットは、１対１で情報提示時間点と対応する。
【００２０】
ステップ１０２において、情報提示時間点に対応する提示されるべき情報を取得するために、提示されるべき情報が、履歴閲覧情報に基づいて情報提示時間点に対応する提示情報セットから選択される。
【００２１】
ステップ１０３において、情報提示時間点に対応する提示されるべき情報が端末に送信される。
【００２２】
図２に示すように、本方法における端末の処理フローが、以下のステップ２０１から２０３を含んでもよい。
【００２３】
ステップ２０１において、サーバは、端末で再生されるべきビデオを通知される。
【００２４】
ステップ２０２において、サーバから送信された、再生されるべきビデオにおけるプリセット情報表示提示時間点に対応する提示されるべき情報が、受信される。
【００２５】
ステップ２０３において、ビデオが再生され、次いで提示されるべき情報が、提示されるべき情報に対応するプリセット情報表示提示時間点で表示される。
【００２６】
本開示の実施形態では、再生されるべきビデオにおけるプリセット情報提示時間点と、情報提示時間点でのビデオコンテンツに関連付けられた予め記憶された提示情報セットとが取得され、提示情報セットは１対１で情報提示時間点と対応し、情報提示時間点に対応する提示されるべき情報を取得するために、提示されるべき情報が、履歴閲覧情報に基づいて情報提示時間点に対応する提示情報セットから選択され、および情報提示時間点に対応する提示されるべき情報が端末に送信される。このように、ビデオが端末上で再生される時、ユーザに提示される提示情報は、履歴閲覧情報に基づいて選択され、それ故にユーザに提示される提示情報は、ユーザの要求を比較的満たし、それによって提示情報の有効性を改善する。
【００２７】
第２の実施形態
【００２８】
本開示のこの実施形態において、情報を提示するための方法が提供され、概方法は、サーバと端末によって一緒に実装されてもよい。サーバは、ネットワークビデオを再生する過程において、端末に提示情報をプッシュするためのサーバであってもよく、サーバは情報提示サーバと呼ばれてもよい。端末は、ユーザによって使用されるビデオ再生能力を有する端末であってもよく、端末はビデオを再生するためのアプリケーションがインストールされてもよい。情報提示サーバは、複数のサーバを含むサーバグループであってもよく、情報提示サーバは、プロセッサ、メモリ、送受信機等で構成されてもよい。プロセッサは、ネットワークビデオをプッシュする過程の間、情報提示を処理するように構成され、メモリは、必要なデータと処理の間に生成されたデータを格納するように構成され、送受信機は、情報を送受信するように構成される。端末は、プロセッサ、メモリ、送受信機などで構成されてもよい。プロセッサは、ネットワークビデオを再生する過程の間、情報提示を処理するように構成され、メモリは、必要なデータと処理の間に生成されたデータを格納するように構成され、および送受信機は、情報を送受信するように構成される。端末は、画面のような入出力デバイスで構成されてもよく、画面はアプリケーションプログラムとビデオフレームのインタフェースを表示するように構成され、画面はタッチコントロール画面であってもよい。端末は、ビデオアプリケーションを介して、あるいはビデオウェブサイトにアクセスすることによって、ネットワークビデオを再生してもよい。提示情報は、ニュース情報および広告情報であってもよい。本開示のこの実施形態において、技術的解決策の詳細な説明は、提示情報として考慮されている商品の広告情報の例を取り上げてなされるが、それ以外の場合は、簡略化のために本実施形態では繰り返して説明しない。
【００２９】
図３に示された処理フローは、特定の実施形態と共に以下でさらに説明される。
【００３０】
ステップ３０１において、サーバは、端末で再生されるべきビデオを通知される。
【００３１】
図４に示すように、ユーザがビデオを見たい時、ユーザは端末上でビデオを再生するためのアプリケーションを開始してもよく、アプリケーションのビデオリスト内のビデオを選択して、ビデオサーバからビデオデータを要求し、情報提示サーバ（以下、サーバと略す）にプリパッチ情報要求を送信するように端末をトリガしてもよく、プリパッチ情報要求は、ビデオのビデオ識別子を含む。
【００３２】
ステップ３０２において、再生されるべきビデオにおける少なくとも１つのプリセット情報提示時間点と、情報提示時間点でのビデオコンテンツに関連する予め記憶された提示情報セットが取得され、提示情報セットは、１対１で情報提示時間点と対応する。
【００３３】
情報提示時間点は、現在再生されているビデオにおいて提示情報が表示される時間点であってもよく、技術者によってプリセットされてもよい。提示情報のコンテンツおよび提示情報に対応する情報提示時間点は、技術者によって設定されてもよい。提示情報は、広告情報、ニュース情報などであってもよい。１つの提示情報セットは、１つの情報提示時間点で提示されることができるすべての提示情報を含んでもよい。
【００３４】
本実施形態において、提示情報の塊について、技術者は、提示情報によって提示されるべき商品に基づくビデオにおいて、商品を含む再生フレームが再生される再生時間点を見つけてもよく、再生時間点を提示情報に対応する情報提示時間点とみなしてもよい。従って、複数の情報提示時間点は、ビデオのために取得されてもよく、ビデオ識別子と情報提示時間点との間の対応は、サーバに格納されてもよい。任意の一つの情報提示時間点について、情報提示時間点に対応する１つまたは複数の提示情報は、１つの提示情報セットを構成してもよく、情報提示時間点とビデオのための提示情報セットとの間の対応が、サーバに格納されてもよい。さらに、技術者は、補間時間点をプリセットしてもよく、補間時間点とビデオ識別子との間の対応をサーバに格納してもよい。ビデオを再生する過程の間、ビデオは再生が停止され、補間時間点で補間情報が再生され、ビデオは補間情報が再生された後も再生が継続される。
【００３５】
再度図４を参照すると、サーバがプリパッチ情報要求を受信した後、サーバは取得したプリパッチ情報（すなわち、ビデオを再生する前の提示情報）を端末に送信する。次いでサーバは、ビデオ識別子と情報提示時間点との間の対応から、ビデオのためのすべての情報提示時間点、およびビデオ識別子とビデオ識別子に基づく補間時間点との間の対応から、ビデオのためのすべての補間時間点を検索し、情報提示時間点と補間時間点とを端末に送信する。端末は、プリパッチ情報（例えばプリパッチ広告）を再生し、プリパッチ情報の再生が完了した後にビデオを再生する。その後、端末が、情報提示時間点が受信されたことを判断した場合、端末は２秒などの時間ビデオの再生を開始した後、取得した提示情報要求をサーバに送信する。取得した提示情報要求は、ビデオ識別子と端末の現在のログインアカウントのアカウント識別子とを含む。取得した提示情報要求を受信した後、サーバはビデオのための全ての情報提示時間点のそれぞれに対応する提示情報セットを取得してもよい。
【００３６】
ステップ３０３において、情報提示時間点に対応する提示されるべき情報を取得するために、提示されるべき情報が、履歴閲覧情報に基づいて情報提示時間点に対応する提示情報セットから選択される。
【００３７】
一実施形態において、サーバは、ユーザがより多くの回数閲覧した商品の特定の属性情報を取得するために、端末の現在のログインアカウントの履歴閲覧情報を取得してもよい。次いで、ユーザによってより多くの回数閲覧された商品の属性情報と同一あるいは類似の属性情報を有する商品の提示情報（例えば広告情報）が、各情報提示時間点に対応する提示情報セットから選択される。このようにして、各情報提示時間点について、対応する１つまたは複数の提示されるべき情報が選択される。
【００３８】
任意で、全ての情報提示時間点に対応する提示されるべき情報は、最も多い閲覧回数を有する提示情報タイプに基づいて選択されてもよい。対応する過程は、履歴閲覧情報に基づいて各提示情報タイプの閲覧回数を決定することと、情報提示時間点に対応する提示されるべき情報として、情報提示時間点に対応する提示情報から最も多い閲覧回数を有する提示情報タイプを備えた提示情報を選択することと、を含む。
【００３９】
提示情報タイプは、提示情報に対応する商品のタイプであってもよい。および、提示情報タイプは、複数のレベル分類を含んでもよく、例えば、第１レベルの分類は、衣装、自動車、家具等を含んでもよく、衣装の分類は、トップス、ズボン、靴などの第２レベルの分類を含んでもよい。
【００４０】
一実施形態において、サーバは、提示情報要求内のアカウント識別子を取得し、アカウント識別子に基づいて端末の現在のログインアカウントの履歴閲覧情報を取得し、次いで履歴閲覧情報において各提示情報タイプの閲覧回数を決定するために履歴閲覧情報内の、ユーザによって閲覧された各提示情報の提示情報タイプを取得してもよい。情報提示時間点に対応する提示されるべき情報を選択する過程において、情報提示時間点に対応する提示情報セットに含まれる提示情報タイプが取得されてもよく、次いで各提示情報タイプの閲覧回数が取得され、最も多い閲覧回数を有する提示情報タイプを備えた提示情報が選択される。現在再生されているビデオにおける各情報提示時間点に対応する提示されるべき情報は、上記の方法に基づいて取得されてもよい。
【００４１】
例えば、再生時間が５分に達した時、情報提示時間点に対応する提示されるべき情報を選択する過程において、サーバは、履歴閲覧情報に基づいて、レディースショートパンツの閲覧回数が３０回、レディースサンダルの閲覧回数が１５回、レディース眼鏡の閲覧回数が５０回、メンズコートの閲覧回数が１２回、等を取得してもよく、情報提示時間点に対応する提示情報セット内の提示情報タイプは、レディース眼鏡とメンズコートを含む。この場合、情報提示時間点に対応する最も多い閲覧回数を有する提示情報タイプは、レディース眼鏡である。
【００４２】
任意で、提示情報の優先度が閲覧回数に基づいて設定されてもよく、および提示されるべき情報は優先度に基づいて選択されてもよい。対応する過程は、ビデオのためのプリセット目標提示回数と各提示情報の残りの提示回数とを取得することと、提示情報のプリセット目標提示回数に対する残りの提示回数の割合に基づいて、ビデオのための各提示情報の優先度を決定することと、情報提示時間点に対応する提示されるべき情報として、情報提示時間点に対応する提示情報セットから、最も多い閲覧回数を有する提示情報タイプを備えた最も高い優先度を有する提示情報を選択することと、を含む。
【００４３】
一実施形態において、情報提示時間点に対応する提示されるべき情報を選択する過程において、サーバは、提示情報要求内のアカウント識別子を取得し、アカウント識別子に基づいて端末の現在のログインアカウントの履歴閲覧情報を取得し、次いで履歴閲覧情報において各提示情報タイプの閲覧回数を決定するために履歴閲覧情報内の、ユーザによって閲覧された各提示情報の提示情報タイプを取得してもよい。情報提示時間点に対応する提示されるべき情報を選択する過程において、情報提示時間点に対応する提示情報セットに含まれる提示情報タイプが取得されてもよく、次いで各提示情報タイプの閲覧回数が取得され、最も多い閲覧回数を有する提示情報タイプを備えた複数の提示情報が選択される。選択された提示情報のプリセット目標提示回数に対する残りの提示回数の割合が計算され、各提示情報の優先度が決定される。提示情報のプリセット目標提示回数に対する残りの提示回数の割合が大きいほど、提示情報の優先度がより高いことを示す。逆に、提示情報のプリセット目標提示回数に対する残りの提示回数の割合が少ないほど、提示情報の優先度がより低いことを示す。情報提示時間点に対応する提示されるべき情報として、選択された複数の提示情報から、最も高い優先度を有する提示情報が選択される。上記の方法に基づいて、現在再生されているビデオにおける各情報提示時間点に対応する提示されるべき情報が取得されてもよい。
【００４４】
例えば、現在再生されているビデオにおいて、再生時間が２０分５秒に達した時点で、情報提示時間点がプリセットされ、情報提示時間点に対応する提示情報セットの提示情報タイプは、洗濯洗剤とレディース半袖を含み、取得された履歴閲覧情報において最も多い閲覧回数を有する提示情報タイプは、レディース半袖である。ピンクのレディース半袖について、情報提示時間点に対応する提示情報セットにおいて提示情報が３つあり、ピンクのレディース半袖についての３つの提示情報の優先度は、それぞれ０．５、０．２、および０．３である。この場合、再生時間が２０分５秒に達した時点で、優先度０．５を有する提示情報が提示されるべき情報として選択される。
【００４５】
また、最も多い閲覧回数を有する提示情報タイプを備えた提示情報において同じ優先度を有する複数の提示情報がある場合、提示情報を選択する過程において、提示情報に対応する商品価格が取得され、最も高い商品価格に対応する提示情報が提示されるべき情報として選択されてもよい。
【００４６】
本開示の一実施形態において、各情報提示時間点に対応する提示されるべき情報は、端末のログインアカウントのアカウント属性情報と履歴閲覧情報に基づいて選択されてもよい。対応する過程は、端末の履歴閲覧情報および現在のログインアカウントのアカウント属性情報に基づいて、情報提示時間点に対応する提示されるべき情報として、情報提示時間点に対応する提示情報セットから、履歴閲覧情報およびアカウント属性情報とプリセット一致条件を満たす提示情報を選択することを含む。
【００４７】
情報提示時間点に対応する提示されるべき情報を選択する過程において、サーバは、提示情報要求内のアカウント識別子を取得し、アカウント識別子に基づいて端末の現在のログインアカウントの履歴閲覧情報を取得し、次いで履歴閲覧情報において各提示情報タイプの閲覧回数を決定するために履歴閲覧情報内の、ユーザによって閲覧された各提示情報の提示情報タイプを取得してもよい。情報提示時間点に対応する提示されるべき情報を選択する過程において、情報提示時間点に対応する提示情報セットに含まれる提示情報タイプが取得されてもよく、次いで各提示情報タイプの閲覧回数が取得され、最も多い閲覧回数を有する提示情報タイプを備えた複数の提示情報が選択される。次いで、現在のログインアカウントの性別、年齢、教育、地域といったアカウント属性情報が、現在のログインアカウントのアカウント識別子に基づいて取得されてもよい。現在のログインアカウントのアカウント属性情報と同じあるいは類似のアカウント属性情報を有する提示情報が、提示時間点に対応する複数の提示情報から選択される。このようにして、各提示時間点に対応する提示されるべき情報が、取得されてもよい。
【００４８】
例えば、再生時間が４１分５秒に達した時、情報提示時間に対応する提示されるべき情報を選択する過程において、最も多い閲覧回数を有する提示情報が男性シャツであると判断され、男性シャツについての複数の提示情報が、情報提示時間点に対応する提示情報から選択される。そして現在のログインアカウントのアカウント属性情報が、性別が男、年齢が２２歳、地域が北京、を含むと判断され、性別が男かつ年齢が２２歳の属性を有する提示情報が、選択された複数の提示情報から選択されてもよく、従って情報提示時間点に対応する提示されるべき情報が取得される。
【００４９】
さらに、情報提示時間点に対応する提示されるべき情報を選択する過程において、サーバは、提示情報要求内のアカウント識別子を取得し、アカウント識別子に基づいて端末の現在のログインアカウントの履歴閲覧情報を取得し、次いで履歴閲覧情報において各提示情報タイプの閲覧回数を決定するために履歴閲覧情報内の、ユーザによって閲覧された各提示情報の提示情報タイプを取得してもよい。情報提示時間点に対応する提示されるべき情報を選択する過程において、情報提示時間点に対応する提示情報セットに含まれる提示情報タイプが取得されてもよく、次いで各提示情報タイプの閲覧回数が取得され、最も多い閲覧回数を有する提示情報タイプを備えた複数の提示情報が選択される。次いで、現在のログインアカウントと関連するアカウントのアカウント属性情報が、現在のログインアカウントのアカウント識別子に基づいて取得されてもよい。関連するアカウントのアカウント属性情報に基づいて、アカウント属性情報と一致する提示情報が、情報提示時間点に対応する選択された複数の提示情報から選択される。
【００５０】
ステップ３０４において、情報提示時間点に対応する提示されるべき情報が端末に送信される。
【００５１】
一実施形態において、サーバが端末上で現在再生されているビデオにおける各プリセット情報提示時間点に対応する提示されるべき情報を決定した後、サーバは、プリセットの全ての情報提示時間点と各情報提示時間点に対応する提示されるべき情報とを、ビデオがある時間再生された後、端末に送信してもよい。サーバは、ビデオが情報提示時間点まで再生された時、各情報提示時間点に対応する提示されるべき情報を、端末に送信してもよい。
【００５２】
ステップ３０５において、サーバから送信された、現在端末で再生されているビデオにおけるプリセット情報提示時間点に対応する提示されるべき情報が、受信される。
【００５３】
本実施形態において、端末は、現在再生されているビデオにおける各プリセット情報提示時間点とサーバから送信された各プリセット情報提示時間点に対応する提示されるべき情報とを受信してもよい。
【００５４】
ステップ３０６において、ビデオが再生され、次いで提示されるべき情報が、提示されるべき情報に対応する情報提示時間点で表示される。
【００５５】
実施形態において、図５に示すように、端末が、現在再生されているビデオにおける、各プリセット情報提示時間点を受信し、および提示されるべき情報に対応して、ビデオがフルスクリーンで再生されていない場合、ビデオにおける各情報提示時間点に対応する時間情報と提示されるべき情報とが、ビデオ再生画面の右側の情報バー内（図５の「インタラクション」バーなど）に表示されてもよい。そしてビデオが情報提示時間点まで再生される時、例えばビデオ再生画面の右下隅などのプリセット提示位置点が取得され、情報提示時間点に対応する提示されるべき情報が、ビデオ再生画面上の提示位置点で表示される。
【００５６】
ビデオがフルスクリーンで再生されている場合、端末が現在再生されているビデオにおけるプリセット情報提示時間点に対応する提示されるべき情報を受信した後、ビデオが情報提示時間点まで再生されたとき、プリセット提示位置点が取得され、情報提示時間点に対応する提示されるべき情報が、ビデオ再生画面上の提示位置点で表示される。
【００５７】
本開示の実施形態において、ビデオの再生中に提示情報を表示する時、提示情報とビデオフレーム内の関連する商品との間に関連マーカーが表示されてもよい。具体的には、サーバは、ビデオのための提示情報とビデオにおける関連する位置との間の予め記憶された対応に従って、ビデオにおける情報提示時間点に対応する提示されるべき情報に対応する関連する位置を決定するステップと、情報提示時間点に対応する提示されるべき情報と、提示されるべき情報に対応する関連する位置とを、端末に送信するステップとを実行してもよい。
【００５８】
一実施形態において、提示されるべき情報とビデオにおける関連する位置との間の対応は、予め設定されていてもよい。具体的には、まずビデオにおける各情報提示時間点に対応する提示情報セットが取得され、提示情報セットにおける各提示情報によって表示されるべき商品が決定されてもよく、次いでビデオにおける情報提示時間点に対応する映像フレームの各提示情報によって表示されるべき商品の関連位置（例えば、商品の座標点）が決定され、各提示情報とビデオにおける関連する位置との間の対応がサーバに格納される。任意で、技術者は、各情報提示時間点に対応する提示情報セットに含まれる提示情報タイプを取得してもよく、およびビデオにおける提示情報タイプに対応する商品の関連する位置（例えば、商品の座標点）を決定してもよく、従って提示情報タイプとビデオにおける関連する位置との間の対応が確立される。ある提示情報セットにおいて、１つの提示情報タイプが複数の提示情報に対応し、各提示情報とビデオにおける関連する位置との間の対応が確立される。
【００５９】
各情報提示時間点に対応する提示されるべき情報を決定した後に、サーバは、情報提示時間点に対応する提示されるべき情報に基づいて、ビデオのための提示されるべき情報とビデオにおける関連する位置との間の予め記憶された対応を取得してもよく、対応に基づいて情報提示時間点に対応する提示されるべき情報に対応するビデオにおける関連する位置を取得してもよく、次いで、ビデオにおける各情報提示時間点に対応する提示されるべき情報と、提示されるべき情報に対応するビデオにおける関連する位置とを、端末に送信してもよい。
【００６０】
上記のサーバの処理に対応して、端末によって行われる処理は、サーバから送信された、再生されるべきビデオにおけるプリセット情報提示時間点に対応する提示されるべき情報と、提示されるべき情報に対応する関連する位置とを受信することと、ビデオを再生し、提示されるべき情報に対応する情報提示時間点で提示されるべき情報を表示し、提示されるべき情報とビデオにおける関連する位置との間の関連マーカーを表示することと、を含む。
【００６１】
一実施形態において、図６に示すように、端末は、現在再生されているビデオにおける各プリセット情報提示時間点に対応する提示されるべき情報と、提示されるべき情報に対応する関連する位置とを受信する。ビデオが情報提示時間点まで再生される時、例えばビデオ再生画面の右下隅のようなプリセット提示位置点が取得される。次いで、提示されるべき情報が提示位置点で表示され、および関連マーカーが、提示されるべき情報とビデオにおける対応する関連する位置（すなわち、ビデオフレームにおける提示されるべき情報によって表示された商品の位置）との間に表示される。例えば、ビデオの再生時間が５分に達した時点で、サングラスのための提示情報は予め設定されており、再生時間が５分に達する時点までビデオが再生されたとき、サングラスのための提示情報がビデオ再生画面の右下隅に表示され、ビデオ再生画面には、サングラスのための提示情報とビデオ再生画面内のサングラスとを接続するために、接続線（すなわち、関連マーカー）が表示される。
【００６２】
本開示の実施形態において、各情報提示時間点に対応する提示されるべき情報は、提示情報の優先度に基づいて、直接選択されてもよい。対応する過程を以下に説明する。
【００６３】
サーバが各情報提示時間点でビデオコンテンツに関連する提示情報を取得した後、提示情報セットにおける各提示情報のプリセット目標提示回数と、残りの提示回数とが取得されてもよく、提示情報のプリセット目標提示回数に対する残りの提示回数の割合が計算される。提示情報のプリセット目標提示回数に対する残りの提示回数の割合が大きいほど、提示情報の優先度がより高いことを示す。逆に、提示情報のプリセット目標提示回数に対する残りの提示回数の割合が少ないほど、提示情報の優先度がより低いことを示す。現在再生中のビデオにおける情報提示時間点に対応する提示されるべき情報を選択する過程において、各提示情報の優先度に基づいて、最も高い優先度を有する提示情報が、各提示情報に対応する提示情報セットから選択されてもよい。提示情報セット内に同じ優先度を有する複数の提示情報がある場合、提示されるべき情報を選択する時に、提示情報に対応する商品価格に基づいて、最も高い価格の商品に対応する提示情報が、各提示時間点に対応する提示情報セットから選択されてもよい。
【００６４】
本開示の実施形態において、端末上で現在再生されているビデオにおけるプリセット情報提示時間点と、情報提示時間点でのビデオコンテンツに関連付けられた予め記憶された提示情報とが取得され、情報提示時間点に対応する提示されるべき情報を取得するために、提示されるべき情報が、履歴閲覧情報に基づいて情報提示時間点に対応する提示情報セットから選択され、および情報提示時間点に対応する提示されるべき情報が端末に送信される。このように、ビデオが端末上で再生される時、ユーザに提示される提示情報は、履歴閲覧情報に基づいて選択され、それ故にユーザに提示される提示情報は、ユーザの要求を満たし、それによって提示情報の有効性を改善する。
【００６５】
第３の実施形態
【００６６】
同じ技術概念に基づいて、本開示の実施形態は、図７に示すサーバも提供する。サーバは、取得モジュール７１０、選択モジュール７２０、および送信モジュール７３０を含む。
【００６７】
取得モジュール７１０は、再生されるべきビデオにおける少なくとも１つのプリセット情報提示時間点と、情報提示時間点でのビデオコンテンツに関連する予め記憶された提示情報セットとを取得するように構成され、提示情報セットは、１対１で情報提示時間点と対応する。
【００６８】
選択モジュール７２０は、情報提示時間点に対応する提示されるべき情報を取得するために、提示されるべき情報を、履歴閲覧情報に基づいて、情報提示時間点に対応する提示情報セットから選択するように構成される。
【００６９】
送信モジュール７３０は、情報提示時間点に対応する提示されるべき情報を端末に送信するように構成される。
【００７０】
任意で、取得モジュール７１０は、ビデオのための提示情報とビデオにおける関連する位置との間の予め記憶された対応に従って、ビデオにおける情報提示時間点に対応する提示されるべき情報に対応する関連する位置を決定するようにさらに構成される。
【００７１】
送信モジュール７３０は、情報提示時間点に対応する提示されるべき情報と、提示されるべき情報に対応する関連する位置とを、端末に送信するように構成される。
【００７２】
任意で、選択モジュール７２０は、端末の履歴閲覧情報および現在のログインアカウントのアカウント属性情報に基づいて、情報提示時間点に対応する提示されるべき情報として、情報提示時間点に対応する提示情報セットから、履歴閲覧情報およびアカウント属性情報とプリセット一致条件を満たす提示情報を選択するように構成される。
【００７３】
任意で、図８に示すように、選択モジュール７２０は、決定サブモジュール７２１と選択サブモジュール７２２を含む。
【００７４】
決定サブモジュール７２１は、履歴閲覧情報に基づいて各提示情報タイプの閲覧回数を決定するように構成される。
【００７５】
選択サブモジュール７２２は、情報提示時間点に対応する提示されるべき情報として、情報提示時間点に対応する提示情報セットから、最も多い閲覧回数を有する提示情報タイプを備えた提示情報を選択するように構成される。
【００７６】
任意で、図９に示すように、選択サブモジュール７２２は、取得ユニット７２２１と、決定ユニット７２２２と、選択ユニット７２２３を含む。
【００７７】
取得ユニット７２２１は、ビデオのための、プリセット目標提示回数と各提示情報の残りの提示回数とを取得するように構成される。
【００７８】
決定ユニット７２２２は、提示情報のプリセット目標提示回数に対する残りの提示回数の割合に基づいて、ビデオのための各提示情報の優先度を決定するように構成される。
【００７９】
選択ユニット７２２３は、情報提示時間点に対応する提示されるべき情報として、情報提示時間点に対応する提示情報セットから、最も多い閲覧回数を有する提示情報タイプを備えた最も高い優先度を有する提示情報を選択するように構成される。
【００８０】
同じ技術概念に基づいて、本開示の実施形態は、図１０に示す端末も提供する。端末は、通知モジュール１０１０、受信モジュール１０２０、および提示モジュール１０３０を含む。
【００８１】
通知モジュール１０１０は、端末上で再生されるべきビデオをサーバに通知するように構成される。
【００８２】
受信モジュール１０２０は、サーバから送信された再生されるべきビデオにおけるプリセット情報提示時間点に対応する、提示されるべき情報を受信するように構成される。
【００８３】
提示モジュール１０３０は、ビデオを再生し、および提示されるべき情報に対応するプリセット情報提示時間点で提示されるべき情報を表示するように構成される。
【００８４】
任意で、受信モジュールは、サーバから送信された、再生されるべきビデオにおけるプリセット情報提示時間点に対応する提示されるべき情報および提示されるべき情報に対応する関連する位置を受信するように構成され、提示モジュールは、ビデオを再生し、提示されるべき情報に対応する情報提示時間点で提示されるべき情報を表示し、並びに提示されるべき情報と関連する位置との間の関連性を表すために、ビデオにおける関連する位置で関連マーカーを表示するように構成される。
【００８５】
本開示の実施形態では、再生されるべきビデオにおける少なくとも１つのプリセット情報提示時間点と、情報提示時間点でのビデオコンテンツに関連付けられた予め記憶された提示情報セットとが取得され、提示情報セットは１対１で情報提示時間点と対応し、情報提示時間点に対応する提示されるべき情報を取得するために、提示されるべき情報が、履歴閲覧情報に基づいて情報提示時間点に対応する提示情報セットから選択され、および情報提示時間点に対応する提示されるべき情報が端末に送信され、端末は、端末がビデオを表示する時、提示されるべき情報に対応する情報提示時間点で提示されるべき情報を表示する。このように、ビデオが端末上で再生される時、ユーザに提示される提示情報は、履歴閲覧情報に基づいて選択され、それ故にユーザに提示される提示情報は、ユーザの要求を満たし、それによって提示情報の有効性を改善する。
【００８６】
実施形態において提供された、情報を提示するためのデバイスが情報を提示する場合、図は上述の各機能モジュールの分類のみに基づいて作成されていることに留意されたい。実際には、上記の機能は、要求に応じて異なる機能モジュールによって実現されてもよく、すなわち、デバイスの内部構造が、上述した機能の全てまたは一部を完成するために、異なる機能モジュールに分割される。さらに、上記実施形態において提供された、情報を提示するためのデバイスと、情報を提示するための方法の実施形態は同じ概念を有し、デバイスの詳細な実装過程は、情報を提示するための方法の実施形態を参照することができ、ここで説明される。
【００８７】
第４の実施形態
【００８８】
図１１は、本開示の実施形態に含まれるサーバの概略的な構造図である。サーバは、前述の実施形態において提供された情報を提示するための方法を実行するように構成される。
【００８９】
サーバ１９００は、異なる構成又は性能のために、大きな差異を有してもよく、１つまたは複数の中央処理ユニット（CPU）１９２２（例えば１つまたは複数のプロセッサ）、メモリ１９３２、およびアプリケーション１９４２またはデータ１９４４を格納する１つまたは複数の記憶媒体１９３０（例えば１つまたは複数の大量のデバイス）を含んでもよい。メモリ１９３２および記憶媒体１９３０は、短時間記憶デバイスあるいは永続記憶デバイスであってもよい。記憶媒体１９３０に格納されたプログラムは、１つまたは複数のモジュール（図１１には図示せず）を含んでもよく、各モジュールは、サーバ内の一連の命令による動作を含んでもよい。さらに、中央処理ユニット１９２２は、記憶媒体１９３０と通信し、サーバ１９００上の記憶媒体１９３０の一連の命令動作を実行してもよい。
【００９０】
サーバ１９００はまた、１つまたは複数の電源１９２６、１つまたは複数の有線または無線ネットワークインタフェース１９５０、１つまたは複数の入出力インタフェース１９５８、１つまたは複数のキーボード１９５６、及び／又はWindows Server（登録商標）、Mac OS  X（登録商標）、Unix（登録商標）、Linux（登録商標）、FreeBSD（登録商標）などの１つまたは複数の操作システムを含んでもよい。
【００９１】
サーバ１９００は、メモリと１つまたは複数のプログラムを含んでもよい。１つまたは複数のプログラムはメモリに格納され、サーバ１９００は、動作を実行するために１つまたは複数のプロセッサによって１つまたは複数のプログラムに含まれる命令を実行するように構成され、動作は、
再生されるべきビデオにおける少なくとも１つのプリセット情報提示時間点と、情報提示時間点でのビデオコンテンツに関連する予め記憶された提示情報セットとを取得することであって、提示情報セットは、１対１で情報提示時間点と対応する、取得することと、
情報提示時間点に対応する提示されるべき情報を取得するために、提示されるべき情報を、履歴閲覧情報に基づいて情報提示時間点に対応する提示情報セットから選択することと、
情報提示時間点に対応する提示されるべき情報を、端末に送信することと、を含む。
【００９２】
任意で、情報提示時間点に対応する提示されるべき情報を取得した後、動作は、
ビデオのための提示情報とビデオにおける関連する位置との間の予め記憶された対応に従って、ビデオにおける情報提示時間点に対応する提示されるべき情報に対応する関連する位置を決定することをさらに含み、
情報提示時間点に対応する提示されるべき情報を端末に送信することは、
情報提示時間点に対応する提示されるべき情報と、提示されるべき情報に対応する関連する位置とを、端末に送信することを含む。
【００９３】
任意で、情報提示時間点に対応する提示されるべき情報を取得するために、提示されるべき情報を、履歴閲覧情報に基づいて情報提示時間点に対応する提示情報セットから選択することは、
端末の履歴閲覧情報および現在のログインアカウントのアカウント属性情報に基づいて、情報提示時間点に対応する提示されるべき情報として、情報提示時間点に対応する提示情報セットから、履歴閲覧情報およびアカウント属性情報とプリセット一致条件を満たす提示情報を選択することを含む。
【００９４】
任意で、情報提示時間点に対応する提示されるべき情報を取得するために、提示されるべき情報を、履歴閲覧情報に基づいて情報提示時間点に対応する提示情報セットから取得することは、
履歴閲覧情報に基づいて各提示情報タイプの閲覧回数を決定することと、
情報提示時間点に対応する提示されるべき情報として、情報提示時間点に対応する提示情報セットから、最も多い閲覧回数を有する提示情報タイプを備えた提示情報を選択することと、を含む。
【００９５】
任意で、情報提示時間点に対応する提示されるべき情報として、情報提示時間点に対応する提示情報セットから、最も多い閲覧回数を有する提示情報タイプを備えた提示情報を選択することは、
ビデオのためのプリセット目標提示回数と各提示情報の残りの提示回数とを取得することと、
提示情報のプリセット目標提示回数に対する残りの提示回数の割合に基づいて、ビデオのための提示情報の優先度を決定することと、
情報提示時間点に対応する提示されるべき情報として、情報提示時間点に対応する提示情報セットから、最も多い閲覧回数を有する提示情報タイプを備えた最も高い優先度を有する提示情報を選択することと、を含む。
【００９６】
本開示の実施形態では、再生されるべきビデオにおけるプリセット情報提示時間点と、情報提示時間点でのビデオコンテンツに関連付けられた予め記憶された提示情報セットとが取得され、提示情報セットは１対１で情報提示時間点と対応し、情報提示時間点に対応する提示されるべき情報を取得するために、提示されるべき情報が、履歴閲覧情報に基づいて情報提示時間点に対応する提示情報セットから選択され、および情報提示時間点に対応する提示されるべき情報が端末に送信される。このように、ビデオが端末上で再生される時、ユーザに提示される提示情報は、履歴閲覧情報に基づいて選択され、それ故にユーザに提示される提示情報は、ユーザの要求を満たし、それによって提示情報の有効性を改善する。
【００９７】
第５の実施形態
【００９８】
図１２は、本開示の実施形態に含まれる端末を示す概略構造図であり、上記の実施形態において提供される方法を実装するために使用されてもよい。
【００９９】
端末１２００は、無線周波数（RF）回路１１０、１つまたは複数のコンピュータ可読記憶媒体を含むメモリ１２０、入力ユニット１３０、ディスプレイユニット１４０、センサ１５０、オーディオ回路１６０、ワイヤレス・フィディリティー（WiFi）モジュール１７０、１つまたは複数の処理コアを含むプロセッサ１８０、および電源１９０等を含んでもよい。端末は、図１２に示される端末の構造によって制限されるべきではなく、端末は図１２の端末のおおよその構成要素を含んでもよく、あるいはいくつかの構成要素の組み合わせ、あるいは構成要素の異なる配置を含んでもよいことが当業者によって理解されよう。
【０１００】
RF回路１１０は、情報を送受信する過程の間、または電話中に信号を受信および送信するように構成されてもよく、特に、基地局からダウンリンク情報を受信し、処理のためにダウンリンク情報を１つまたは複数のプロセッサ１８０に送信し、およびアップリンクデータを基地局に送信してもよい。一般的に、RF回路１１０は、アンテナ、少なくとも１つの増幅器、チューナ、１つまたは複数の発振器、加入者識別モジュール（SIM）カード、トランシーバ、連結器、低雑音増幅器（LNA）、デュプレクサ等を含むが、これに限定されない。さらに、RF回路１１０は、無線通信を介してネットワークあるいは別のデバイスと通信することもできる。無線通信は、グローバル移動体通信システム（GSM（登録商標））、汎用パケット無線サービス（GPRS）、符号分割多元接続（CDMA）、広帯域符号分割多元接続（WCDMA（登録商標））、ロングタームエボリューション（LTE）、電子メールおよびショートメッセージサービス（SMS）等を含むがこれらに限定されない、任意の通信規格またはプロトコルを使用することによって実行されてもよい。
【０１０１】
メモリ１２０は、ソフトウェアプログラムまたはモジュールを格納するように構成されてもよい。メモリ１２０内に格納されたソフトウェアプログラムまたはモジュールを実行することによって、プロセッサ１８０は、あらゆる種類の機能アプリケーションおよびデータ処理を実行することができる。メモリ１２０は、主にプログラム格納領域とデータ格納領域を含んでもよい。プログラム格納領域は、少なくとも１つの機能（例えばオーディオ再生機能、画像表示機能など）によって要求される管理システムおよびアプリケーションを格納することができ、すなわちデータ格納領域は端末１２００の利用に応じて作成されたデータ（例えばオーディオデータ、電話帳など）を格納することができる。さらに、メモリ１２０は、例えば少なくとも１つのディスクメモリ、フラッシュメモリ、または他の揮発性固体メモリといった、高速ランダムアクセスメモリまたは不揮発性メモリを含んでもよい。従って、メモリ１２０は、プロセッサ１８０および入力ユニット１３０によってメモリ１２０にアクセスを提供するメモリコントローラも含んでもよい。
【０１０２】
入力ユニット１３０は、入力された数字または文字情報を受信し、ユーザ設定および機能制御に関連する、キーボード、マウス、走査レバー、光学またはトラックボールの信号入力を生成するように構成されてもよい。具体的には、入力ユニット１３０は、タッチセンサー面１３１および別の入力デバイス１３２を含んでもよい。タッチセンサー面１３１は、タッチスクリーンあるいはタッチパッドとも呼ばれ、ユーザによるその上または近くのタッチ動作（例えば指、タッチペンなどの任意の適切なオブジェクトあるいは付属品を介して、ユーザによるタッチセンサー面１３１あるいはタッチセンサー面１３１の近くの動作のようなもの）を収集し、プリセットの形式に基づいて対応する接続デバイスを駆動する。任意で、タッチセンサー面１３１は、タッチ検出デバイス、およびタッチコントローラを含んでもよく、タッチ検出デバイスは、ユーザのタッチ位置とタッチ動作によって生成された信号とを検出し、タッチコントローラに信号を送信するように構成され、タッチコントローラは、タッチ検出デバイスからタッチ情報を受信し、タッチ地点座標に変換し、タッチ地点座標をプロセッサ１８０に送信し、およびプロセッサ１８０から送信されたコマンドを受信しおよびコマンドを実行するように構成される。さらに、タッチセンサー面１３１は、抵抗タッチセンサー面、静電容量タッチセンサー面、赤外線タッチセンサー面、および表面音波タッチセンサー面といった、様々なタイプのタッチセンサー面によって実現されてもよい。入力ユニット１３０は、タッチセンサー面１３１に加えて、別の入力デバイス１３２を含んでもよい。具体的には、別の入力デバイス１３２は、１つまたは複数の物理キーボード、機能キー（例えば、音量調整キー、オン／オフキーなど）、トラックボール、マウス、および操作レバーなどを含んでもよいが、これに限定されない。
【０１０３】
ディスプレイユニット１４０は、ユーザによって入力された情報、あるいはユーザに提供される情報および端末１２００の様々なグラフィックユーザインタフェースを表示するように構成されてもよい。グラフィックユーザインタフェースは、グラフ、テキスト、アイコン、ビデオ、およびそれらの任意の組み合わせを含んでもよい。ディスプレイユニット１４０は、ディスプレイパネル１４１を含んでもよい。任意で、ディスプレイパネル１４１は、液晶ディスプレイ（LCD）、有機発光ダイオード（OLED）などで構成されてもよい。さらに、タッチセンサー面１３１は、ディスプレイパネル１４１を覆ってもよい。タッチセンサー面１３１は、タッチセンサー面１３１上、あるいはタッチセンサー面１３１の近くの動作を検出する時、タッチセンサー面１３１はタッチイベントのタイプを決定するために、プロセッサ１８０にタッチ動作を送信し、次いでプロセッサ１８０は、タッチイベントのタイプに従って、対応する視覚出力をディスプレイパネル１４１に提供する。図１２において、タッチセンサー面１３１およびディスプレイパネル１４１が入出力機能を実現するための２つの独立した構成要素であるが、いくつかの実施形態において、タッチセンサー面１３１とディスプレイパネル１４１は入出力機能を実現するために統合されてもよい。
【０１０４】
端末１２００は、光学センサ、運動センサ、および別のセンサといった少なくとも１つのセンサ１５０を含んでもよい。具体的には、光学センサは環境光センサおよび近接センサを含んでもよい。環境光センサは、環境光に従ってディスプレイパネル１４１の明るさを調節することができ、近接センサは、端末１２００が耳のほうに動いた時、ディスプレイパネル１４１及び／又はバックライトを消すことができる。運動センサの一種である、重力加速度センサは、任意の方向（一般に３軸方向）で加速度の大きさを検出することができる。重力加速度センサは、重力加速度センサが静止している時、重力の大きさと方向を検出することができ、携帯電話のジェスチャを識別するためのアプリケーション（風景／肖像画モード切り替え、関連するゲーム、および磁力計姿勢較正など）、関連機能（歩数計やノック（knock）など）を識別する振動などで使用されることができる。ジャイロスコープ、気圧計、湿度計、温度計、赤外線センサのような、端末１２００に提供され得る別のセンサについては、ここでは簡略化のためにここでは詳細に説明しない。
【０１０５】
オーディオ回路１６０、スピーカー１６１、およびマイクロホン１６２は、ユーザと端末１２００との間のオーディオインタフェースを提供することができる。オーディオ回路１６０は、受信された音声データを変換された電気信号をスピーカー１６１に送信することができ、スピーカー１６１は電気信号をオーディオ信号に変換して出力する。一方、マイクロホン１６２は、集音された信号を電気信号に変換し、電気信号はオーディオ回路１６０によって受信されおよびオーディオデータに変換され、オーディオデータはプロセッサ１８０に出力され、プロセッサ１８０によって処理され、最終的に、処理されたオーディオデータはRF回路１１０を介して別の端末に送信されるか、あるいはオーディオデータはさらに処理するためにメモリ１２０に出力される。オーディオ回路１６０は、周辺機器ヘッドフォンと端末１２００との間の通信を提供するイヤプラグジャックを含んでもよい。
【０１０６】
WiFiは、近距離無線送信技術を使用する。端末１２００は、WiFiモジュール１７０を介して、ユーザが電子メールを送受信し、ウェブサイトを閲覧し、ストリーミングメディアにアクセスすること等を支援することができ、WiFiモジュール１７０は、ユーザのために無線ブロードバンドインターネットアクセスを提供する。WiFiモジュール１７０が図１２に示されているが、WiFiモジュール１７０は端末１２００の必要な構成要素ではなく、本開示の性質を変更することなく、必要に応じて省略されることができることが理解できる。
【０１０７】
プロセッサ１８０は、端末１２００の制御センタであり、これは、携帯電話全体の全てのパーツを、あらゆる種類のインタフェースおよび回路によって接続するように構成され、端末１２００の様々な機能を実行し、およびメモリ１２０に格納されたソフトウェアプログラムおよび／またはモジュールを起動あるいは実行し、メモリ１２０に格納されたデータを呼び出すことによってデータを処理し、携帯電話の全体的な監視を実行する。任意で、プロセッサ１８０は１つまたは複数の処理コアを含んでもよい。好ましくは、アプリケーションプロセッサおよび変調―復調プロセッサは、プロセッサ１８０に統合されてもよく、アプリケーションプロセッサは主としてオペレーティングシステム、ユーザインタフェース、アプリケーション等を処理し、変調―復調プロセッサは、主として無線通信を処理する。変調―復調プロセッサは、プロセッサ１８０に統合されなくてもよいことが理解されよう。
【０１０８】
端末１２００は、全ての構成要素に電力を供給するための電源１９０（例えば、バッテリ）をさらに含む。好ましくは、電源は、電力管理システムを介してプロセッサ１８０に論理的に接続して、電力管理システムを介して充電管理、放電管理、および電力管理の機能を実現してもよい。電源１９０は、１つまたは複数のDCあるいはAC電源、再充電システム、電源異常検出回路、電力コンバータあるいはインバータ、電力状態インジケータおよび任意の他の構成要素を含んでもよい。
【０１０９】
図１２には示されていないが、端末１２００は、カメラ、ブルートゥース（登録商標）モジュール等を含んでもよく、簡略化のためにここでは説明しない。具体的には、本実施形態において、端末１２００の表示ユニットは、タッチスクリーンディスプレイである。端末１２００は、メモリ、および１つまたは複数のプログラムをさらに含み、１つまたは複数のプログラムは、メモリに格納され、端末１２００は、１つまたは複数のプロセッサによって、１つまたは複数のプログラムに含まれる要求を実行して、動作を実行し、動作は、
端末上で再生されるべきビデオをサーバに通知することと、
サーバから送信された再生されるべきビデオにおけるプリセット情報提示時間点に対応する、提示されるべき情報を受信することと、
ビデオを再生し、および提示されるべき情報に対応する情報提示時間点で提示されるべき情報を表示することと、を含む。
【０１１０】
任意で、サーバから送信された再生されるべきビデオにおけるプリセット情報提示時間点に対応する提示されるべき情報を受信することは、
サーバから送信された、再生されるべきビデオにおけるプリセット情報提示時間点に対応する提示されるべき情報および提示されるべき情報に対応する関連する位置を受信することを含み、
ビデオを再生し、および提示されるべき情報に対応するプリセット情報提示時間点で提示されるべき情報を表示することは、
ビデオを再生し、提示されるべき情報に対応するプリセット情報提示時間点で提示されるべき情報を表示し、並びに提示されるべき情報と関連する位置との間の関連性を表すために、ビデオにおける関連する位置で関連マーカーを表示することを含む。
【０１１１】
本開示の実施形態では、再生されるべきビデオにおける少なくとも１つのプリセット情報提示時間点と、情報提示時間点でのビデオコンテンツに関連付けられた予め記憶された提示情報セットとが取得され、提示情報セットは１対１で情報提示時間点と対応し、情報提示時間点に対応する提示されるべき情報を取得するために、提示されるべき情報が、履歴閲覧情報に基づいて情報提示時間点に対応する提示情報セットから選択され、および情報提示時間点に対応する提示されるべき情報が端末に送信される。このように、ビデオが端末上で再生される時、ユーザに提示される提示情報は、履歴閲覧情報に基づいて選択され、それ故にユーザに提示される提示情報は、ユーザの要求を満たし、それによって提示情報の有効性を改善する。
【０１１２】
上記の実施形態を実装するためのステップの全てまたは一部がハードウェアによって完了されてもよく、また、プログラムによって指示される関連ハードウェアによって完了されてもよいことが、当業者によって理解されるであろう。また、プログラムは、読み出し専用メモリ、磁気ディスク、あるいは光ディスクなどのコンピュータ読み取り可能な記憶媒体に格納されてもよい。
【０１１３】
記載された実施形態は、本開示の単に好ましい実施形態である。実施形態は、本開示を限定するものではない。本開示の精神および原理の範囲内でなされる変更、均等な置換、変更は、本開示の保護範囲にあるべきものである。
【符号の説明】
【０１１４】
１１０  RF回路
１２０  メモリ
１３０  入力ユニット
１３１  タッチセンサー面
１３２  別の入力デバイス
１４０  ディスプレイユニット
１４１  ディスプレイパネル
１５０  センサ
１６０  オーディオ回路
１７０  WiFiモジュール
１８０  プロセッサ
１９０  電源
１０１０  通知モジュール
１０２０  受信モジュール
１０３０  提示モジュール
１９２２  中央処理ユニット
１９２６  電源
１９４１  操作システム
１９４４  データ
１９４２  アプリケーション
１９３０  記憶媒体
１０３２  メモリ
１９５０  有線又は無線ネットワークインタフェース
１９５６  キーボード
１９５８  入出力インタフェース
７１０  取得モジュール
７２０  選択モジュール
７３０  送信モジュール
７２１  決定サブモジュール
７２２  選択サブモジュール
７２２１  取得ユニット
７２２２  決定ユニット
７２２３  選択ユニット
【図１】
0006692558.tif 000002
【図２】
0006692558.tif 000003
【図３】
0006692558.tif 000004
【図４】
0006692558.tif 000005
【図５】
0006692558.tif 000006
【図６】
0006692558.tif 000007
【図７】
0006692558.tif 000008
【図８】
0006692558.tif 000009
【図９】
0006692558.tif 000010
【図１０】
0006692558.tif 000011
【図１１】
0006692558.tif 000012
【図１２】
0006692558.tif 000013